(57)【要約】 【課題】遊技機の背面を実質的に閉鎖して背面からの内部への不正アクセスを効果的に防止しつつ、その内部に配置された回路基板上の演算素子等の回路素子を効率的に冷却することのできる回路素子の冷却方法、回路素子の冷却構造及び遊技機を提供すること。【解決手段】このパチンコ機２は、その背面側であって、パチンコ機２の周囲を囲む筐体枠４の後方に配置された背面板３と、背面板３の前方に配置された図柄制御基板１６ａと、図柄制御基板１６ａ上に実装され、背面板３との間で熱伝導可能に配置された演算素子１６ｈとを有する。【選択図】図５
2008206762.tif 000002
【特許請求の範囲】
【請求項１】
遊技機の背面側であって、該遊技機の周囲を囲む筐体枠の後方に配置された背面板と、
該背面板の前方に配置された回路基板と、
該回路基板上に実装され、前記筐体枠又は前記背面板の少なくともいずれか一方との間で熱伝導可能に配置された回路素子と、を有する遊技機。
【請求項２】
前記回路基板は、前記筐体枠に対して前方開閉可能に揺動支持されて前記背面板と離合可能とされている請求項１に記載の遊技機。
【請求項３】
前記筐体枠及び前記背面板がともに金属材料で形成され、かつ該背面板が前記遊技機の背面側を実質的に閉鎖している請求項１又は請求項２に記載の遊技機。
【請求項４】
前記回路素子と前記背面板との間に配置された熱伝導可能な弾性体を更に有する請求項１から請求項３のうちいずれか１項に記載の遊技機。
【請求項５】
前記弾性体の、前記回路素子に熱伝導可能に接触する第１接触面と前記背面板の前方面に熱伝導可能に接触する第２接触面との間の高さ寸法が、該回路素子と該背面板の前方面との間の前記配置状態における隙間寸法よりも実質的に大きい請求項４に記載の遊技機。
【請求項６】
回路基板上に実装された回路素子を冷却する回路素子の冷却方法であって、
遊技機の背面側に配置された背面板の前方に該回路基板を配置するステップと、
該背面板に対して、該回路基板上の回路素子を実質的に熱伝導可能に配置するステップと、を有する回路素子の冷却方法。
【請求項７】
遊技機の背面を実質的に閉鎖する背面板が該遊技機の背面側に配置され、
表面に回路素子を実装する回路基板が前記背面板の前方に配置され、
前記背面板に対して、前記回路基板上の回路素子が実質的に熱伝導可能に配置されている回路素子の冷却構造。
【発明の詳細な説明】
【技術分野】
【０００１】
本発明は、回路素子の冷却方法、回路素子の冷却構造及び遊技機に係り、特にパチンコ機等の遊技機内の回路基板上に実装されて高温となる回路素子を、効率的に冷却する冷却方法等に関する。本発明は、パチンコ機以外の様々な遊技機やその他の電気・電子機器にも適用可能である。
【背景技術】
【０００２】
パチンコ機等の遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機において、最近では遊技盤面上に図柄表示装置や変動入賞装置等の役物が配置されたものがある。
【０００４】
変動入賞装置は、例えば遊技演出用のキャラクター人形等の役物と複数種類の入賞口とを有し、変動入賞装置内に流入した球が、キャラクター人形等の動作に影響されていずれの種類の入賞口に入賞するかを楽しめるように構成されているものである。球が入賞した入賞口の種類に応じて、払い出される景品球数が異なったり、異なる種類の別遊技が開始されたりする。
【０００５】
また、図柄表示装置は、その表示画面に表示された図柄等が変動し特定の表示態様となったときに、遊技者に多量の景品球を獲得させるいわゆる「当り」を構成するためのものである。遊技機にこの図柄変動装置が配されることにより、遊技盤面の入賞口に球が入賞して所定個数の景品球払出しがされる場合のみならず、図柄変動の結果によっても多量の景品球が払い出されるので、遊技者の興趣が一層向上するようになっている。
【０００６】
従来、このようなパチンコ機は筐体枠によって周囲が囲まれ、その筐体枠内部に収容されるように遊技盤が配置されている。そしてその遊技盤は、筐体枠に対して前方開閉可能に揺動支持された機枠に保持されており、その機枠や遊技盤の裏側に様々な球経路や各種機構部品、回路基板等が取り付けられている。
【０００７】
つまり、遊技を構成し演出する重要な部品である球経路、景品球払出装置や入賞球処理装置等の各種機構部品、それら各種機構部品の動作を制御するための払出制御基板、図柄表示装置等の演出動作を制御するための遊技制御基板や図柄制御基板等が、前方を遊技盤や機枠によって、上下方及び左右側方を筐体枠によって覆われるように構成されている。
【０００８】
しかしながら、パチンコ機の後方、すなわち背面側は覆われておらず、上記の重要部品が略剥き出しの状態となっている。したがって、パチンコ機の背面側は不正アクセスに対して無防備であり、ここから重要部品に対して容易に不正を行うことができてしまう。
【０００９】
そこで近年、背面側を背面板によって覆うことにより、背面側からの重要部品に対する不正アクセスを防止可能なパチンコ機も提案されている。これによれば、パチンコ機の背面が実質的に閉鎖されるので、例えば、隣接するパチンコ機どうしの隙間から背面側にピアノ線を挿入して行う不正遊技等も防止することができる。
【００１０】
しかしながら、このようにパチンコ機の背面側を背面板によって閉鎖すると、パチンコ機内部が上下左右前後のすべての方向において覆われてしまうので、払出制御基板等の回路基板からの発熱がパチンコ機内部に籠もってしまう。
【００１１】
特に近年では、図柄表示装置や変動入賞装置の遊技演出が複雑となり、回路基板上の演算素子（ＣＰＵ）による演算処理負荷及びそれに伴う発熱が大きくなってきている。この発熱を効率よくパチンコ機外部へ排熱して演算素子を効率的に冷却しないと、演算処理が熱暴走してしまってパチンコ機の動作制御に不具合を生じてしまう。
【００１２】
なお、回路基板から発生した熱を排出する提案として、例えば特許文献１に開示のものがある。
【００１３】
【特許文献１】特開２００３−９３７０４号公報
【発明の開示】
【発明が解決しようとする課題】
【００１４】
しかしながら、上記のような背面板を有するパチンコ機において、内部への不正アクセスを防止するためには背面板によってパチンコ機の背面側を極力塞ぐ必要がある。そうすると、高温となったパチンコ機内部の空気が外部へ排出されにくくなり、演算素子の冷却を効率的に行うことができない。
【００１５】
上記特許文献１に開示のものでは、放熱ブロックによって回路基板の熱が筐体内の薄板へと排熱されるようになっている。しかしながら、その廃熱は依然として筐体内部に滞留し、遊技機の外部へと排出されない。
【００１６】
したがって、上記のような背面板を有するパチンコ機においては、例え回路基板から薄板へと熱が移動したとしても、結局パチンコ機内部にその熱が溜まる一方であり、効率的に回路基板やその基板上の演算素子を冷却することができない。
【００１７】
本発明は上記の事情に鑑みて為されたもので、遊技機の背面を実質的に閉鎖して背面からの内部への不正アクセスを効果的に防止しつつ、その内部に配置された回路基板上の演算素子等の回路素子を効率的に冷却することのできる回路素子の冷却方法、回路素子の冷却構造及び遊技機を提供することを例示的課題とする。
【課題を解決するための手段】
【００１８】
上記の課題を解決するために、本発明の例示的側面としての遊技機は、遊技機の背面側であって、遊技機の周囲を囲む筐体枠の後方に配置された背面板と、背面板の前方に配置された回路基板と、回路基板上に実装され、背面板との間で熱伝導可能に配置された回路素子とを有することを特徴とする。
【００１９】
回路基板上に実装された回路素子が背面板との間で熱伝導可能に配置されているので、背面板全体を熱容量の大きなヒートシンクとして利用することができ、回路素子からの発熱を効率的に遊技機外部へと排熱することができる。遊技機内部の熱の滞留を防止し、回路基板や回路素子の昇温を抑制することができる。したがって、熱暴走によって遊技機が不具合を生じることがなく、遊技機の信頼性を向上させることができ、遊技者も安心して遊技を行うことができる。
【００２０】
ここで、遊技機には、パチンコ機の他、パチスロ機、スロットマシン、アーケードゲーム機等が含まれる。また、「熱伝導可能に配置」には、回路素子と背面板とが直接接触配置される場合の他、熱伝導可能な中間部材を介して回路素子と背面板とが間接的に接触配置される場合、すなわち回路素子と中間部材とが直接接触し、中間部材と背面板とが直接接触する場合を含む。また、回路素子は、回路基板上に配置される様々な電気素子・電子素子が含まれ、特に外装をセラミックパッケージで構成されて大略平板状とされたＣＰＵ等の演算素子を含む。
【００２１】
回路基板は、筐体枠に対して前方開閉可能に揺動支持されて背面板と離合可能とされていてもよい。
【００２２】
回路基板が背面板と離合可能とされていれば、回路基板の交換や修理の際のメンテナンス性が向上する。例えば、筐体枠に対して前方開閉可能に揺動支持された機枠に遊技機としてのパチンコ機の遊技盤が保持され、その遊技盤の裏面側や機枠の裏面側に回路基板が取り付けられていれば、回路基板が背面板に対して離合可能となる。
【００２３】
筐体枠及び背面板がともに金属材料で形成され、かつ背面板が遊技機の背面側を実質的に閉鎖していてもよい。
【００２４】
背面板が金属材料で形成されていれば、低コストに回路素子の効率的な冷却を実現することができる。しかも背面板と筐体枠が結合されていてその筐体枠も金属材料で形成されていれば、背面板のみならず筐体枠をもヒートシンクとして利用することができ、熱容量の非常に大きなヒートシンクとすることができる。
【００２５】
その背面板が遊技機の背面側を実質的に閉鎖しているので、背面側から遊技機内部への不正アクセスを効果的に防止することができる。背面側の閉鎖により、遊技機内部の空気が外部へと排気されにくく内部の空気は滞留するが、背面板や筐体枠によって効率的に熱が遊技機外部へと排熱されるので、遊技機内部の昇温を抑制することができる。
【００２６】
回路素子と背面板との間に配置された熱伝導可能な弾性体を更に有してもよい。
【００２７】
回路素子と背面板とが直接接触するように配置すれば、それぞれの配置位置を高精度に位置決めする必要が生じる。両者が僅かでも離れてしまうと熱伝導が効率的に行われず、また、両者が必要以上に付勢当接されてしまうと破損に繋がってしまう。
【００２８】
しかし、回路素子と背面板との間に弾性体を配置すれば、両者の位置精度を必要以上に高精度とする必要がない。したがって、部品コストの低減や組立て作業の効率化に寄与することができる。
【００２９】
しかもその弾性体が熱伝導可能であるので、回路素子からの熱を背面板へと効率的に移動させることができる。この熱伝導可能な弾性体としては、例えば、熱伝導性シリコンゴム等が考えられる。
【００３０】
弾性体の、回路素子に熱伝導可能に接触する第１接触面と背面板の前方面に熱伝導可能に接触する第２接触面との間の高さ寸法が、回路素子と背面板の前方面との間の配置状態における隙間寸法よりも実質的に大きくてもよい。
【００３１】
弾性体の高さ寸法が回路素子と背面板の前方面との配置状態での隙間寸法よりも実質的に大きいので、弾性体と回路素子と背面板との熱伝導可能な接触状態を強固かつ確実に行うことができる。結果として、回路素子から弾性体を介して背面板への熱伝導効率を向上させることができる。
【００３２】
なお、前方面とは、背面板の前方すなわち遊技者方向の面を意味する。また、「熱伝導可能に接触」とは、必ずしも直接接触する場合のみならず、熱伝導性を有する別部品を介在して間接的に熱伝導可能な状態をも含む。
【００３３】
もちろん、「回路素子と前方面との間の隙間寸法」も、回路素子と前方面との直接的な距離に限られない。回路素子側に別部品としてのヒートシンク部品が取り付けられている場合は、そのヒートシンク部品と前方面との隙間寸法、前方面側にヒートシンク部品が取り付けられている場合は、そのヒートシンク部品と回路素子との隙間寸法、両方にそれぞれヒートシンク部品が取り付けられている場合は、両ヒートシンク部品どうしの隙間寸法を意味する。
【００３４】
本発明の他の例示的側面としての回路素子の冷却方法は、回路基板上に実装された回路素子を冷却する回路素子の冷却方法であって、遊技機の背面側に配置された背面板の前方に回路基板を配置するステップと、背面板に対して、回路基板上の回路素子を実質的に熱伝導可能に配置するステップとを有することを特徴とする。
【００３５】
回路基板上に実装された回路素子を背面板に対して実質的に熱伝導可能に配置するので、背面板全体が熱容量の大きなヒートシンクとして機能し、回路素子からの発熱を効率的に遊技機外部へと排熱することができる。遊技機内部の熱の滞留を防止し、回路基板や回路素子の昇温を抑制することができる。したがって、熱暴走によって遊技機が不具合を生じることがなく、遊技機の信頼性を向上させることができ、遊技者も安心して遊技を行うことができる。
【００３６】
本発明の更に他の例示的側面としての回路素子の冷却構造は、遊技機の背面を実質的に閉鎖する背面板が遊技機の背面側に配置され、表面に回路素子を実装する回路基板が背面板の前方に配置され、背面板に対して、回路基板上の回路素子が実質的に熱伝導可能に配置されていることを特徴とする。
【００３７】
回路基板上に実装された回路素子が背面板に対して実質的に熱伝導可能に配置されているので、背面板全体が熱容量の大きなヒートシンクとして機能し、回路素子からの発熱を効率的に遊技機外部へと排熱することができる。遊技機内部の熱の滞留を防止し、回路基板や回路素子の昇温を抑制することができる。したがって、熱暴走によって遊技機が不具合を生じることがなく、遊技機の信頼性を向上させることができ、遊技者も安心して遊技を行うことができる。
【００３８】
背面板が遊技機の背面側を実質的に閉鎖しているので、背面側から遊技機内部への不正アクセスを効果的に防止することができる。背面側の閉鎖により、遊技機内部の空気が外部へと排気されにくく内部の空気は滞留するが、背面板によって効率的に熱が遊技機外部へと排熱されるので、遊技機内部の昇温を抑制することができる。
【００３９】
本発明の更なる目的又はその他の特徴は、以下添付図面を参照して説明される好ましい実施の形態によって明らかにされるであろう。
【発明の効果】
【００４０】
本発明によれば、遊技機の背面を実質的に閉鎖して背面からの内部への不正アクセスを効果的に防止しつつ、遊技機背面を閉鎖する背面板全体を熱容量の大きなヒートシンクとして利用することにより、遊技機内部に配置された回路基板上の回路素子を効率的に冷却することができる。
【００４１】
遊技機内部の熱の滞留を防止し、回路基板や回路素子の昇温を抑制することができる。したがって、熱暴走によって遊技機が不具合を生じることがなく、遊技機の信頼性を向上させることができ、遊技者が安心して遊技を行うことができる。
【発明を実施するための最良の形態】
【００４２】
［実施の形態１］
以下、本発明の実施の形態１について図面を用いて説明する。図１は、本発明の実施の形態１に係る遊技機としてのパチンコ機２を前方（すなわち、遊技者側。）から見た外観を示す外観斜視図である。図２は、このパチンコ機２を後方（すなわち、背面側。）から見た外観を示す外観斜視図である。
【００４３】
このパチンコ機２は、筐体枠４、遊技盤（遊技装置体）６、機枠８、前面ガラス（前面透明板）１０、装飾枠１２、上皿（球皿）１４、球発射装置（図示せず。）、発射ハンドル１７を有している。また、後述するように、このパチンコ機２はその背面側に背面板３を有し、パチンコ機２内部に図柄制御基板（回路基板）１６ａ、主基板（回路基板）、枠基板（回路基板）１６ｂ、電源基板１６ｃ（いずれも、図３を参照。）を有している。
【００４４】
パチンコ機２は、組合せ式パチンコ機、封入循環式パチンコ機、雀球機等を含む。また、遊技機としてはパチンコ機の他に、遊技媒体としてコインを使用するパチスロ機やスロットマシン、各種ゲーム機やアーケードマシン等が概念できる。
【００４５】
筐体枠４は、このパチンコ機２の周囲を囲むための枠体であり、平面視略長方形に構成されている。材料としては、木材・樹脂・金属等が適用可能であり、本実施の形態１においてはアルミニウムが用いられている。筐体枠４は、パチンコ機２の上下面及び左右側面を囲み、前方から見て左側面側には機枠８及び装飾枠１２を揺動支持するためのヒンジ部（揺動支持部）１８が設けられている。
【００４６】
遊技盤６は、このパチンコ機２において、遊技媒体としての球２０の流下による遊技を演出するための遊技装置体である。遊技盤６の遊技盤面６ａには、略円形状に周囲を囲むようにレール飾り２２が取り付けられ、このレール飾り２２の内側面２２ａが遊技盤面６ａに対して立設して遊技領域６ｂを画定している。
【００４７】
その遊技領域６ｂ内には多数のゲージ２４、入賞口２６、図柄表示装置２８、アウト口３０、その他の各種役物が配置されている。図示しない球発射装置により球２０が遊技領域６ｂ内の上部に向けて発射されると、球２０がゲージ２４に衝突してその流下方向を変えつつ遊技領域６ｂ内を流下するようになっている。その流下の途中で、あるものは入賞口２６に入賞して景品球払出しの契機となり、あるものは図柄表示装置２８による図柄変動遊技開始の契機となり、また、あるものはいずれの入賞口２６にも入賞せずにアウト口３０からパチンコ機２の外部へと排出される。このように、遊技盤６上を球２０が流下する際に、様々な遊技が演出されるようになっている。
【００４８】
遊技盤６の裏面側には入賞口２６に入賞した入賞球やアウト口３０に流入したアウト球を排出するための球経路が配置されているが詳細は省略する。なお、本実施の形態１においては、遊技機としてのパチンコ機２に用いられる遊技装置体としての遊技盤６を例として説明するが、もちろん遊技機がパチスロ機やスロットマシンである場合は、回胴装置が遊技装置体に相当する。
【００４９】
機枠８は、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。その機枠８は、筐体枠４の前方に配置されてヒンジ部１８において筐体枠４に揺動支持され、筐体枠４に対して前面開閉可能に揺動支持されている。
【００５０】
機枠８には施錠装置１が設けられ、この施錠装置１によって筐体枠４及び装飾枠１２と施錠閉鎖可能とされている。機枠８は、樹脂又は金属によって形成され、その裏面側には裏機構盤（図示せず。）が配置される。その裏機構盤には、入賞球を計数して排出処理する入賞球処理装置（図示せず。）、景品球を計数して払い出す景品球払出装置（図示せず。）等が配置されている。
【００５１】
なお、パチスロ機やスロットマシンの場合はこの機枠８が省略されるとともに筐体枠４内に回胴装置が設置され、その前方を後述する装飾枠１２が施錠閉鎖するように構成される。
【００５２】
図３は、このパチンコ機２における機枠８を筐体枠４に対してヒンジ部１８を中心に前方に開放した状態を示す内部構成図である。
【００５３】
パチンコ機２の背面であって筐体枠４の後方には背面板３が配置されている。この背面板３は、アルミニウム等の熱伝導性の高い金属で形成された板状部材であり、アルミニウム製の筐体枠４と左右側辺及び上辺において連結している。
【００５４】
背面板３は、筐体枠４の後方を略密閉し、パチンコ機２の背面を実質的に閉鎖している。したがって、遊技者やパチンコホールの店員による背面からのパチンコ機２内部への不正アクセスを効果的に防止することができる。
【００５５】
背面板３の前方面３ａに図柄制御基板１６ａ，主基板（図示せず）、枠基板１６ｂ、電源基板１６ｃが取り付けられており、その結果これらの回路基板１６ａ〜１６ｃは筐体枠４内部であって遊技盤６の後方に配置される。
【００５６】
図柄制御基板１６ａは、遊技盤面６ａ上の図柄表示装置２８に数字やキャラクター等の図柄を表示するための回路基板である。主基板は、遊技盤面６ａ上の役物の動作制御、装飾部材３２としての電飾ランプやスピーカー等の動作制御等、遊技演出の全体制御を行うための回路基板であり、遊技制御基板とも呼ばれる。
【００５７】
枠基板１６ｂは、入賞球処理装置や景品球払出装置の動作制御、入賞球や払出球の検出及び計数を行うための回路基板であり、払出制御基板とも呼ばれる。電源基板１６ｃは、パチンコホールから供給される交流電力を直流変換、変圧、整流するための回路基板である。以下、図柄制御基板１６ａについて例示して説明するが、他の回路基板１６ｂ，１６ｃについても大略同様であるので、他の回路基板１６ｂ，１６ｃについての説明は省略する。
【００５８】
図４（ａ）は、この図柄制御基板１６ａを上面から見た上面図であり、図４（ｂ）はこの図柄制御基板１６ａを側面から見た側面図である。
【００５９】
図柄制御基板１６ａ上には、他の回路基板１６ｂ，１６ｃや図柄表示装置２８と配線接続するためのコネクタ部１６ｅが実装配置されている。コンデンサ（回路素子）１６ｆ、抵抗素子（回路素子）１６ｇや演算処理のための演算素子（回路素子）１６ｈも実装配置され、これらが基板上の配線パターンにより相互に接続されている。そして、この図柄制御基板１６ａは、略直方体形状の金属又は樹脂製の収納ケース１６ｉ内に収納されている。
【００６０】
演算素子１６ｈは内部に様々な集積回路を含み、その外装がセラミックパッケージ１６ｊにより覆われて大略平板四角形状とされている。そのセラミックパッケージ１６ｊの平面部（上面部）１６ｋに、熱伝導シート（弾性体）１９の第１接触面１９ａが固着され、熱伝導シート１９が収納ケース１６ｉの切欠部１６ｍから突出するように取り付けられている。
【００６１】
この熱伝導シート１９は高い熱伝導効率を有するシリコンゴムシート等を材料とするシートであり、演算素子１６ｈから発せられた熱をセラミックパッケージ１６ｊの平面部１６ｋを介して背面板３へと高効率に熱伝導させることができるものである。
【００６２】
図５は、この図柄制御基板１６ａが背面板３の前方面３ａに取り付けられた状態を示す側面図である。図５において、図柄制御基板１６ａを収納する収納ケース１６ｉが背面板３の前方面３ａに、例えばネジ等の締結手段により取り付けられている。
【００６３】
この取付け状態において、熱伝導シート１９の第２接触面１９ｂが前方面３ａに密着している。それにより、演算素子１６ｈからの熱は、平面部１６ｋ、第１接触面１９ａ、第２接触面１９ｂ、前方面３ａを順に介して、背面板３全体へと熱伝導されるようになっている。したがって、この熱伝導シート１９及び背面板３により、演算素子１６ｈや図柄制御基板１６ａを効率的に冷却することができるようになっている。
【００６４】
さらに、本実施の形態１においては、背面板３はアルミニウム製の筐体枠４と連結しており、背面板３から筐体枠４への熱伝導が可能とされている。したがって、背面板３及び筐体枠４の両方が熱容量の大きなヒートシンクとして機能し、演算素子１６ｈ及び図柄制御基板１６ａを効率的に冷却するように構成されている。
【００６５】
熱伝導シート１９は弾性を有しており、非取付け状態での高さ寸法Ｈ（第１接触面１９ａと第２接触面１９ｂとの距離）が、取付け状態における演算素子１６ｈの平面部１６ｋと前方面３ａとの隙間寸法Ｇよりも実質的に大きく形成されている。
【００６６】
したがって、図柄制御基板１６ａを前方面３ａに取り付けると、両者の隙間に配置された熱伝導シート１９は、平面部１６ｋと前方面３ａとによって圧縮方向の付勢力を受けることとなる。その結果、第１接触面１９ａと平面部１６ｋとの密着及び第２接触面１９ｂと前方面３ａとの密着が良好となり、熱伝導効率がより一層向上する。
【００６７】
熱伝導シート１９は演算素子１６ｈと背面板３とにしっかり挟まれるので、例えば、熱伝導シート１９がセラミックパッケージ１６ｊに固着されていなくても熱伝導シート１９が落下してしまう虞もない。もちろん、更なる密着性向上のため、第１接触面１９ａや第２接触面１９ｂに熱伝導性の高いシリコングリスを塗布するのも有効な手段である。
【００６８】
なお、本実施の形態１においては、演算素子１６ｈの冷却を主目的として演算素子１６ｈと背面板３とを熱伝導可能に配置したが、もちろんコンデンサ１６ｆや抵抗素子１６ｇ等の他の回路素子を背面板３と熱伝導可能に配置することも本発明の要旨の範囲内である。また、本発明を、主基板、枠基板１６ｂ、電源基板１６ｃ等の他の回路基板に適用することにより、これらの回路基板１６ｂ，１６ｃ及びそれらに実装される各種回路素子を効率的に冷却することができる。
【００６９】
前面ガラス１０は、遊技盤６に対して一定距離離間して配置された透明板である。前面ガラス１０は透明平板ガラスで形成され、遊技盤６との間に球２０が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００７０】
前面透明板としてはガラス素材の前面ガラス１０の他に、もちろん透明アクリル等の樹脂材料が使用されてもよい。また、本実施の形態１においては、前面ガラス１０が装飾枠１２に保持されるが、前面ガラス１０が遊技盤６の前面に取り付けられて、遊技盤６とともに機枠８に保持されるように構成されていてもよい。
【００７１】
装飾枠１２は、前面ガラス１０又はその周囲を囲む装飾部材３２を保持するための枠体である。本実施の形態１においては、装飾枠１２は、前面ガラス１０及び装飾部材３２の両方を保持している。その装飾枠１２は、機枠８の前面側に配置されてヒンジ部１８において機枠８とともに筐体枠４に揺動支持され、機枠８に対して前面開閉可能に揺動支持されている。
【００７２】
装飾枠１２は樹脂又は金属によって形成され、その中央部には前面ガラス１０を取り付けるための取付け開口が形成されている。その前面ガラス１０の周囲には、パチンコ機２を装飾するための造形・色彩・ランプが付された装飾部材３２が取り付けられ、パチンコ機２の遊技演出に寄与している。
【００７３】
なお、本実施の形態１では、筐体枠４に設けられたヒンジ部１８に機枠８及び装飾枠１２の両方が揺動支持される構成となっている。しかしながら、機枠８と装飾枠１２とがそれぞれ異なるヒンジ部によって揺動支持されていてももちろんよい。例えば、筐体枠４に機枠８を揺動支持するヒンジ部が設けられ、機枠８に装飾枠１２を揺動支持する別のヒンジ部が設けられていてももちろんよい。
【００７４】
上皿１４は、球２０を球発射装置に導くべく貯留するためのもので、下皿１５とともに遊技者の持ち球を貯留する機能を有する。上皿１４は、パチンコ機２の前面であって遊技盤６の下方、すなわち装飾枠１２の下方部分に配置され、下皿１５は、その上皿１４の更に下方に配置されている。本実施の形態１においては、上皿１４と下皿１５とを別々に構成しているが、もちろん上皿１４と下皿１５とが一体となって１つの球皿が構成されていてもよい。
【００７５】
上皿１４は、景品球としてパチンコ機２から払い出された球２０を受け取る機能や、その球２０を球供給装置（図示せず。）を介して球発射装置に導くべく貯留する機能を有している。遊技終了時には、遊技者が球排出ボタン１４ｂを操作することにより、球２０を上皿１４から下皿１５へと排出することができるようになっている。
【００７６】
図示しない球発射装置は、球供給装置によって上皿１４から発射位置に送り込まれた球２０を遊技領域６ｂの上部に向けて発射（弾球）するためのものである。球発射装置は、例えば発射位置に送り出された球２０を遊技領域６ｂに向けて弾球する発射杆、その発射杆を駆動して弾球往復動を行わせる発射モータ、発射杆を付勢して弾球のための力を発生させる発射バネ等を有してユニット構成され、機枠８に取り付けられている。
【００７７】
発射ハンドル１７は、球発射装置による弾球強度を調整するためのハンドルであって、遊技者が手で操作するためのものである。例えば、パチンコ機２の前面下部右側に配置されて略円筒形状を呈しており、円筒周面に沿ってその強度調整杆１７ａが回転可能となっている。遊技者は、発射ハンドル１７を手で保持しつつ、強度調整杆１７ａを回転させることにより、球２０の発射強度を調整することができるようになっている。
【００７８】
［実施の形態２］
図６は、本発明の実施の形態２に係る遊技機としてのパチンコ機２内部の図柄制御基板１６ａが背面板３の前方面３ａに取り付けられた状態を示す側面図である。
【００７９】
この図柄制御基板１６ａ上に実装された演算素子１６ｈには、そのセラミックパッケージ１６ｊの平面部１６ｋにヒートシンク部品２１が取り付けられている。このヒートシンク部品２１は、例えば高熱伝導率のアルミニウム部品であり、多数の放熱フィン２１ａを有する形状を呈して高い放熱性能も有している。
【００８０】
ヒートシンク部品２１と背面板３の前方面３ａとの間に熱伝導シート１９が配置されている。その熱伝導シート１９の形状に合わせて背面板３の一部が凹形状とされており、その凹部分３ｂと熱伝導シート１９の第２接触面１９ｂとが密着している。
【００８１】
熱伝導シート１９の高さ寸法Ｈよりも、図柄制御基板１６ａの取付け状態におけるヒートシンク部品２１の上面２１ｂと凹部分３ｂとの隙間寸法Ｇ２が実質的に小さくされているので、ヒートシンク部品２１と熱伝導シート１９と凹部分３ｂとの密着性が向上し、熱伝導効率が向上する。したがって、効率よく演算素子１６ｈを冷却することができる。
【００８２】
また、凹部分３ｂに熱伝導シート１９を嵌め込むようにしつつ図柄制御基板１６ａを背面板３に取り付けることができるので、取付け時の位置合わせが容易となり、組立て効率も向上する。
【００８３】
［実施の形態３］
図７は、本発明の実施の形態３に係るパチンコ機２における機枠８を筐体枠４に対してヒンジ部１８を中心に前方に開放した状態を示す内部構成図である。このパチンコ機２においては、機枠８に保持された遊技盤６の裏面に図柄制御基板１６ａが取り付けられているので、ヒンジ部１８を中心に図柄制御基板１６ａが筐体枠４に対して前方開閉可能となっている。その結果、図柄制御基板１６ａは背面板３に対して離合可能となっている。
【００８４】
この場合において、パチンコ機２の機枠８と筐体枠４とを閉鎖して遊技可能な状態にすると、図柄制御基板１６ａ上の演算素子１６ｈと背面板３の前方面３ａとによって熱伝導シート１９が挟み込まれて圧縮され、演算素子１６ｈと熱伝導シート１９、熱伝導シート１９と背面板３の高い密着性が確保されるようになっている。
【００８５】
以上、本発明の好ましい実施の形態を説明したが、本発明はこれらに限定されるものではなく、その要旨の範囲内で様々な変形や変更が可能である。
【図面の簡単な説明】
【００８６】
【図１】本発明の実施の形態１に係るパチンコ機を前方から見た外観斜視図である。
【図２】本発明の実施の形態１に係るパチンコ機を後方から見た外観斜視図である。
【図３】図１に示すパチンコ機における機枠を前方に開放した状態を示す内部構成図である。
【図４】図３に示す図柄制御基板を示す図であって、（ａ）はその上面図であり、（ｂ）はその側面図である。
【図５】図４に示す図柄制御基板が背面板の前方面に取り付けられた状態を示す側面図である。
【図６】本発明の実施の形態２に係るパチンコ機内部の図柄制御基板が背面板の前方面に取り付けられた状態を示す側面図である。
【図７】本発明の実施の形態３に係るパチンコ機における機枠を前方に開放した状態を示す内部構成図である。
【符号の説明】
【００８７】
Ｇ，Ｇ２：隙間寸法
Ｈ：高さ寸法
１：施錠装置
２：パチンコ機（遊技機）
３：背面板
３ａ：前方面
３ｂ：凹部分
４：筐体枠
６：遊技盤（遊技装置体）
６ａ：遊技盤面
６ｂ：遊技領域
８：機枠
１０：前面ガラス（前面透明板）
１２：装飾枠
１４：上皿（球皿）
１４ｂ：球排出ボタン
１５：下皿
１６ａ：図柄制御基板（回路基板）
１６ｂ：枠基板（回路基板）
１６ｃ：電源基板（回路基板）
１６ｅ：コネクタ部
１６ｆ：コンデンサ（回路素子）
１６ｇ：抵抗素子（回路素子）
１６ｈ：演算素子（回路素子）
１６ｉ：収納ケース
１６ｊ：セラミックパッケージ
１６ｋ：平面部
１６ｍ：切欠部
１７：発射ハンドル
１７ａ：強度調整杆
１８：ヒンジ部（揺動支持部）
１９：熱伝導シート（弾性体）
１９ａ：第１接触面
１９ｂ：第２接触面
２０：球（遊技媒体）
２１：ヒートシンク部品
２１ａ：放熱フィン
２１ｂ：上面
２２：レール飾り
２２ａ：内側面
２４：ゲージ
２６：入賞口
２８：図柄表示装置
３０：アウト口
３２：装飾部品
【図１】
2008206762.tif 000003
【図２】
2008206762.tif 000004
【図３】
2008206762.tif 000005
【図４】
2008206762.tif 000006
【図５】
2008206762.tif 000007
【図６】
2008206762.tif 000008
【図７】
2008206762.tif 000009